(57)【要約】【課題】一般の建築用パネルと同様に利用することができると共にスピーカーとしても利用することができ、尚且つ、外観が良く施工性の良いスピーカー機能付き建築用パネルを提供することを課題とする。【解決手段】前方に開口する収納孔５が形成された基板１と、基板１の前面に設けられる表面板２を備えている。また、表面板２における収納孔５に対応する部分を発音領域６とし、該発音領域６の後面中央部に加振器３が設けられている。【選択図】        図１
2010077738.tif 000002
【特許請求の範囲】
【請求項１】
前方に開口する収納孔が形成された基板と、基板の前面に設けられる表面板を備え、表面板における収納孔に対応する部分を発音領域とし、該発音領域の後面中央部に加振器が設けられることを特徴とするスピーカー機能付き建築用パネル。
【請求項２】
前記基板に収納孔に通じる配線収納溝が形成されることを特徴とする請求項１に記載のスピーカー機能付き建築用パネル。
【請求項３】
前記加振器の全体が基板の厚み内に配置されることを特徴とする請求項１又は請求項２に記載のスピーカー機能付き建築用パネル。
【発明の詳細な説明】
【技術分野】
【０００１】
本発明はスピーカー機能付き建築用パネルに関する。
【背景技術】
【０００２】
例えば特許文献１に示すように部屋の天井の一部にスピーカーを設置する場合がある。
【０００３】
ところで、この種のスピーカーは、本来、建物の天井を構成するものではないため、天井にスピーカーが設けられたことが一目でわかり、部屋が統一感のないものとなる。
【０００４】
また、特許文献１に示されるスピーカーは、トランスデューサーを設けた振動板の周囲がフレームで支持される。このため、スピーカーを取り付ける際には、振動板の裏面側に突出するトランスデューサーが他の部材に干渉する恐れがある等、施工性が悪い。また、このスピーカーにおける振動板は周縁部のみがフレームで支持されたものであり、天井を構成する部材としては強度が低いという問題もある。
【特許文献１】特許第３７６３８４８号（３５頁、図２５）
【発明の開示】
【発明が解決しようとする課題】
【０００５】
本発明は上記従来の問題点に鑑みてなされたものであって、一般の建築用パネルと同様に利用することができ、尚且つ、スピーカーとしても利用することができ、しかも外観及び施工性の優れたスピーカー機能付き建築用パネルを提供することを課題とする。
【課題を解決するための手段】
【０００６】
上記課題を解決するために請求項１に係るスピーカー機能付き建築用パネルは、前方に開口する収納孔５が形成された基板１と、基板１の前面に設けられる表面板２を備えている。また、表面板２における収納孔５に対応する部分を発音領域６とし、該発音領域６の後面中央部に加振器３が設けられている。
【０００７】
また、前記基板１に収納孔５に通じる配線収納溝８が形成されることが好ましい。
【０００８】
また、前記加振器３の全体が基板１の厚み内に配置されることが好ましい。
【発明の効果】
【０００９】
請求項１のスピーカー機能付き建築用パネルは、一般のスピーカー機能を備えていない建築用パネルと同様に、基板と、基板の前面に設けられる表面板を備えたものであるため、強度の高い建築用パネルとして利用することができる。また、加振器により表面板を振動させて音を発し、スピーカーとしても利用することができる。また、スピーカー機能付き建築用パネルの外観を他の天井や壁を構成する一般の建築用パネルと同様の外観とすることができる。また、加振器は基板の収納孔に収納されるため、スピーカー機能付き建築用パネルの基板を下地に取り付ける際に、他の部材に干渉し難く、施工性が良い。
【００１０】
また、請求項２は、加振器に接続される配線を配線収納溝に収納することができ、スピーカー機能付き建築用パネルの施工性をさらに向上できる。また、基板の後方に配線を収納するためのスペースを形成する必要がなく、施工の自由度が増す。
【００１１】
また、請求項３は、加振器を基板の厚み内に配置することができるため、基板の背面を下地に取り付ける場合に加振器が下地に干渉しない。
【発明を実施するための最良の形態】
【００１２】
以下、本発明の実施形態の一例を添付図面に基づいて説明する。
【００１３】
図１は本実施形態の一例のスピーカー機能付き建築用パネルの分解斜視図である。該スピーカー機能付き建築用パネルは、建物の桟や下地板等（以下、下地と記載する）に取り付けられ、天井材や壁材等の建築用パネルとして利用される。
【００１４】
該スピーカー機能付き建築用パネルは矩形状（図示例では長方形状）に形成され、建物の下地に取り付けられる基板１と、基板１の前面に設けられる表面板２と、表面板２の後面に設けられて表面板２を振動させる複数の加振器３とで構成されている。
【００１５】
基板１は木質材料からなり、表面板２と比べて厚みが大きい。
【００１６】
長方形状に形成された基板１の長手方向における両側部分には、基板１の前面側に開口する収納孔５が形成されており、各収納孔５には後述のように加振器３が配設される。本例の各収納孔５は円形で基板１の厚み方向（前後方向）に貫通する孔からなる。基板１は収納孔５が形成されていない部分が大部分を占め、強度が高められている。
【００１７】
表面板２は各収納孔５を含めて基板１の前面の全体を覆い、天井面や壁面を構成する。該表面板２は加振器３によって振動しやすいよう基板１と比べて弾力性に富んだ材料からなる。具体的には、表面板２は発泡ポリプロピレンからなる。
【００１８】
表面板２は図１に示すように基板１の前面に接着により貼り付けられる。これにより、表面板２の各収納孔５に対応する円形部分は基板１に固定されず互いに独立して振動可能な発音領域６（図２参照）となる。
【００１９】
加振器３は表面板２の後面における各収納孔５に対応する部分（即ち各発音領域６の後面）に一個ずつ取り付けられる。また、各加振器３は発音領域６の背面の中央に取り付けられ、基板１と接触しない状態で収納孔５に配置される。
【００２０】
ここで、各加振器３は、図２（ａ）に示すように加振器３の一部が基板１よりも後方に突出した状態で収納孔５に収納されるものであっても良いし、また、図２（ｂ）に示すように加振器３が収納孔５に完全に収納されるように加振器３の全体が基板１の厚み内に配置されるものであっても良い。
【００２１】
前記各加振器３は図示しない音声用アンプ等の音源装置に配線７（図３参照）を介して接続される。各加振器３は、音源装置から出力された音声信号に基づいて振動し、これにより表面板２の対応する発音領域６を振動させ、音を前方に発する。
【００２２】
以上説明したスピーカー機能付き建築用パネルは、一般のスピーカー機能を備えていない建築用パネルと同様に、基板１と、基板１の前面に設けられる表面板２を備えたものであるため、強度の高い建築用パネルとして利用することができる。また、加振器３により、天井面の一部や壁面の一部を構成する表面板２の発音領域６を振動させ、音を発することができ、スピーカーとしても利用することができる。また、この場合、スピーカー機能付き建築用パネルの外観は他の天井や壁を構成する一般の建築用パネルと同様の外観とすることができる。
【００２３】
また、各加振器３は図２（ａ）及び図２（ｂ）に示すように収納孔５に収納されるため、基板１からの後方への突出量が小さい、又は基板１よりも後方に突出しない。従って、スピーカー機能付き建築用パネルを下地に取り付けるにあたって、基板１を下地の前面に取り付ける場合には、加振器３が他の部材に干渉し難く、施工性が良い。特に図２（ｂ）に示すように加振器３の全体を基板１の厚み内に配置した場合には、基板１の後面を下地の前面に直接当接する場合に、加振器３が下地に干渉することがなくて良い。
【００２４】
また、本例のスピーカー機能付き建築用パネルは複数の加振器３を備えたものである。このため、単一の表面板２から複数チャンネルの音を出力することができる。
【００２５】
次に図３に示す他例のスピーカー機能付き建築用パネルについて説明する。なお以下の説明では一例のスピーカー機能付き建築用パネルと同一の構成については同一の番号を付与し、重複する説明は省略する。
【００２６】
図３に示すスピーカー機能付き建築用パネルは、基板１の後面に各収納孔５に通じる配線収納溝８を形成している。配線収納溝８は、基板１の長手方向に伸びる主溝９と、基板１の短手方向に伸びる複数の副溝１０とで構成されている。
【００２７】
主溝９の両端はそれぞれ基板１の長手方向の端面に至って開口している。また、副溝１０は一端が主溝９に連通すると共に他端が収納孔５に連通している。これにより各収納孔５は配線収納溝８を介して基板１の外方に連通している。
【００２８】
前記配線収納溝８には図３に示すように各加振器３に接続された配線７を収納することができるため、前述のスピーカー機能付き建築用パネルの施工性をさらに向上できる。また、基板１の後方に配線７を収納するためのスペースを形成する必要がなく、施工の自由度が増す。
【００２９】
なお、前記各例のスピーカー機能付き建築用パネルは加振器３を２個備えたものであるが、１個又は３個以上の加振器３を備えたものであっても良いものとする。また、加振器３が配される収納孔５の位置や形状、大きさも、出力する音等に応じて適宜変更可能である。
【図面の簡単な説明】
【００３０】
【図１】本発明の実施形態の一例のスピーカー機能付き建築用パネルの分解斜視図である。
【図２】（ａ）は加振器の一部が基板よりも後方に突出した例の側面図であり、（ｂ）は加振器の全体を基板の厚み内に配置した例の側面図である。
【図３】他例のスピーカー機能付き建築用パネルの斜視図である。
【符号の説明】
【００３１】
１  基板
２  表面板
３  加振器
５  収納孔
８  配線収納溝
【図１】
2010077738.tif 000003
【図２】
2010077738.tif 000004
【図３】
2010077738.tif 000005